(57)【特許請求の範囲】
【請求項１】
ランプを調光可能に点灯するランプ点灯装置と；
調光による点灯レベルの下限値がオンデューティ１００％未満の所定値であるとともに調光レベルに応じてオンデューティを設定したＰＷＭ信号形式の調光信号に応じてランプ点灯装置の点灯制御信号を発生してランプ点灯装置を制御することによりランプを調光信号に応じた調光レベルで点灯する点灯制御信号発生手段と；
調光信号のオンデューティが１００％になったことを、調光信号を整流・平滑化した直流電圧レベルにより判定する直流レベル判定機能を備えているとともに、調光信号のオンデューティが１００％の場合に点灯制御信号発生手段が点灯レベルの下限値以上の調光レベルに対応する点灯制御信号を発生するように点灯制御信号発生手段を制御する保護手段と；
を具備していることを特徴とするランプ調光点灯装置。
【請求項２】
ランプを調光可能に点灯するランプ点灯装置と；
調光信号を整流・平滑化して調光信号に応じた直流電圧を形成する直流電圧変換手段、および直流電圧変換手段が出力する直流電圧に応じて周波数の異なる点灯制御信号を発生する電圧応動形可変周波数発振手段を備え、調光による点灯レベルの下限値がオンデューティ１００％未満の所定値であるとともに調光レベルに応じてオンデューティを設定したＰＷＭ信号形式の調光信号に応じてランプ点灯装置の点灯制御信号を発生してランプ点灯装置を制御することによりランプを調光信号に応じた調光レベルで点灯する点灯制御信号発生手段と；
調光信号のオンデューティが１００％のときに直流電圧変換手段の直流電圧を点灯レベルの下限値のときの電圧以下に低減して電圧応動形可変周波数発振手段に印加する電圧低減化手段を備え、調光信号のオンデューティが１００％の場合に点灯制御信号発生手段が点灯レベルの下限値以上の調光レベルに対応する点灯制御信号を発生するように点灯制御信号発生手段を制御する保護手段と；
を具備していることを特徴とするランプ調光点灯装置。
【請求項３】
ランプ点灯装置は、高周波発生手段を備え、周波数に応じてランプを調光点灯するように構成されており；
点灯制御信号発生手段は、調光信号に応じて周波数の異なる点灯制御信号を発生するように構成されている；
ことを特徴とする請求項１または２記載のランプ調光点灯装置。
【請求項４】
保護手段は、調光信号のオンデューティが１００％になったことを周波数の変化として判定する周波数判定機能を備えていることを特徴とする請求項２記載のランプ調光点灯装置。
【請求項５】
点灯レベルの下限値がオンデューティ１００％未満の所定値であるとともに調光レベルに応じてオンデューティを設定したＰＷＭ信号形式の調光信号を形成する調光操作部と；
調光信号を伝送する伝送媒体と；
伝送媒体を介して伝送された調光信号を受信するように配設された請求項１ないし４のいずれか一記載のランプ調光点灯装置と；
を具備していることを特徴とするランプ調光方式。
【請求項６】
照明器具本体と；
照明器具本体に装着されたランプと；
照明器具本体に配設されてランプを付勢する請求項１ないし４のいずれか一記載のランプ調光点灯装置と；
を具備していることを特徴とする照明器具。
【発明の詳細な説明】
【０００１】
【発明の属する技術分野】
本発明は、ランプの調光点灯を遠隔制御するのに好適なランプ調光点灯装置、これを用いたランプ調光方式および照明器具に関する。
【０００２】
【従来の技術】
図６は、従来のランプ調光点灯装置およびランプ調光方式を示す回路ブロック図である。
【０００３】
図において、１０１は交流電源、１０２はランプ調光点灯装置、１０３はランプ、１０４は調光操作部、１０５は伝送媒体である。
【０００４】
交流電源１０１は、ランプ調光点灯装置１０２に電気エネルギーを供給する。
【０００５】
ランプ調光点灯装置１０２は、ランプ点灯装置１０２Ａおよび点灯制御信号発生手段１０２Ｂからなる。
【０００６】
また、ランプ点灯装置１０２Ａは、交流電源１０１から供給される電気エネルギーを高周波の電気エネルギー形態に変換してランプ１０３を点灯する。そして、点灯制御信号に応じてランプ１０３を調光点灯する。
【０００７】
点灯制御信号発生手段１０２Ｂは、調光信号に応じた点灯制御信号を発生する。そして、点灯制御信号発生手段１０２Ｂは、直流電圧変換手段１０２Ｂ１および電圧応動形可変周波数発振手段１０２Ｂ２からなる。
【０００８】
直流電圧変換手段１０２Ｂ１は、調光信号に応じた直流電圧を形成する。
【０００９】
電圧応動形可変周波数発振手段１０２Ｂ２は、直流電圧変換手段１０２Ｂ１から印加される直流電圧に応じた周波数の点灯制御信号を発生する。
【００１０】
一方、調光操作部１０４は、ランプ点灯装置１０２Ａから遠隔した位置に設置されていて、制御に関して両者の間は伝送媒体１０５を介して接続されている。そして、調光操作部１０４は、調光レベルに応じたオンデューティのＰＷＭ信号形式の調光信号を発生して、これを伝送媒体１０５に供給する。
【００１１】
伝送媒体１０５は、調光信号を遠隔したランプ調光点灯装置まで伝送する。
【００１２】
そうして、遠隔した調光操作部１０４から伝送された調光信号をランプ調光点灯装置１０２の点灯制御信号発生手段１０２Ｂの直流電圧変換手段１０２Ｂ１が受信すると、調光信号に応じた直流電圧が形成される。そして、当該直流電圧は電圧応動形可変周波数発振手段１０２Ｂ２に制御入力して直流電圧に応じた周波数の点灯制御信号が発生する。
【００１３】
点灯制御信号は、ランプ点灯装置１０２Ａに制御入力するので、ランプ点灯装置１０２Ａは、点灯制御信号に応じてランプ１０３の点灯レベルを制御して調光が行われる。
【００１４】
図７は、図６に示すランプ調光点灯装置の回路図である。
【００１５】
図において、図６と同一部分については同一符号を付して説明は省略する。
【００１６】
ランプ調光点灯装置１０２のランプ点灯装置１０２Ａは、整流・平滑化回路１０２Ａ１および高周波変換回路１０２Ａ２および放電ランプ点灯回路１０２Ａ３からなる。
【００１７】
高周波変換回路１０２Ａ２は、ハーフブリッジ形インバータからなる。
【００１８】
放電ランプ点灯回路１０２Ａ３は、直流カット用コンデンサＣおよびインダクタＬをランプ１０３と直列回路を構成して、高周波変換回路１０２Ａ２出力端に接続してなる。
【００１９】
ランプ１０３は、蛍光ランプからなり、蛍光ランプの非電源側端子間に始動用コンデンサＣSを接続してなる。
【００２０】
ランプ調光点灯装置１０２の制御信号発生手段１０２Ｂの直流電圧変換手段１０２Ｂ１は、調光信号を整流回路１０２Ｂ１１、整流回路１０Ｂ１１の出力により作動するフォトカプラ１０２Ｂ１２、フォトカプラ１０２Ｂ１２の出力を平滑化する平滑化回路１０２Ｂ１３、および平滑化回路１０２Ｂ１３の出力電圧を波形整形する差動増幅器１０２Ｂ１４からなる。
【００２１】
なお、図において、１０４はランプ始動シーケンス回路、１０５はランプ寿命末期検出回路で、これらは直流電圧変換手段１０２Ｂ１とともに電圧応動形可変周波数発振手段１０２Ｂ２の制御入力に接続している。なお、各ダイオードＤは回り込み防止用である。
【００２２】
図８は、従来のランプ調光点灯装置における調光レベル、調光信号、直流電圧および点灯レベルの関係を説明する波形図である。
【００２３】
図において、「調光レベル」の項目は、図６の調光操作部１０４における操作可能範囲内において、調光の相対的な程度を示す。点灯レベルは、ランプ１０３の点灯状態を表わす。
【００２４】
「調光信号」の項目は、調光操作部１０４から伝送媒体１０４に送出される調光信号の波形を示す。
【００２５】
「直流電圧」の項目は、制御信号発生手段１０２Ｂにおける直流電圧変換手段１０２Ｂ１から出力され、電圧応動形可変周波数発振手段１０２Ｂ２に制御入力する直流電圧のレベルを示す。
【００２６】
したがって、調光レベルが０％とは、ランプ１０３の点灯レベルが１００％すなわち調光していない最も明るい点灯状態を意味する。この調光レベルでは、調光信号は存在しない状態換言すれば、オンデューティ０％である。
【００２７】
これに対して、調光レベルが１００％とは、これ以上調光できないという予め設定した点灯レベルの下限値を意味する。たとえば、ランプ１０３が蛍光ランプであるような場合には、調光していき、ある点灯レベルを超えると、放電が維持されなくなって消灯してしまう。また、このような限界近くで点灯すると、放電が不安定になって明るさにちらつきが生じたりすることがある。そこで、安定に調光可能な範囲に点灯レベルの下限値を設定するのが一般的である。
【００２８】
したがって、本明細書においては、調光レベル１００％とは、設定された点灯レベルの下限値の意味であって、設定により調光可能な範囲内で最も暗い点灯状態であると定義する。なお、ここで説明する例においては、調光レベル１００％で、オンデューティが８０％になるように設定している。
【００２９】
以上の関係から理解できるように、調光レベルが５０％では、点灯レベルが６０％となる。また、調光レベルが８０％では、点灯レベルが３６％になり、調光レベルが２０％では、点灯レベルが８４％となる。
【００３０】
ところで、調光信号はＰＷＭ信号形式で、調光度に応じてそのオンデューティが図８に示すように設定されている。
【００３１】
【発明が解決しようとする課題】
以上説明した従来のランプ調光点灯装置および調光方式は、特公平８−１２７９７号公報に記載されている発明の一つの実施態様であり、この装置および方式は遠隔地点からランプの調光を制御するのに誠に好適である。
【００３２】
しかし、極めて稀なことではあるが、調光操作部における調光信号形成手段のスイッチング素子が短絡する故障が発生した場合、図８の最下部に示すように連続した直流電圧すなわちオンデューティ１００％の調光信号が伝送媒体１０５に送出されてしまい、これを受信すると、ランプ調光点灯装置１０２の直流電圧変換手段１０２Ｂ１の出力は調光レベルが１００％のときの直流電圧より高い電圧になる。このため、電圧応動形可変周波数発振手段１０２Ｂ２は、調光レベル１００％のときよりさらに高い周波数の点灯制御信号を発生する。
【００３３】
ランプ点灯装置１０２Ａにおいては、上記の高い周波数の点灯制御信号を受けると、点灯レベルの下限値よりさらに低い点灯レベルで点灯しようとするので、ランプ１０３は消灯してしまうか、点灯状態が不安定になってしまう。すなわち、従来は調光操作部におけるスイッチング素子の短絡モードの故障に対する適切な保護動作をすることができなかった。
【００３４】
本発明は、調光信号のオンデューティが１００％になっても、ランプを所定の点灯レベルで継続して点灯し、調光操作部におけるスイッチング素子の短絡モードの故障に対する適切な保護動作をすることができるランプ調光点灯装置、これを用いたランプ調光方式および照明器具を提供することを目的とする。
【００３５】
【課題を達成するための手段】
請求項１の発明のランプ調光点灯装置は、ランプを調光可能に点灯するランプ点灯装置と；調光による点灯レベルの下限値がオンデューティ１００％未満の所定値であるとともに調光レベルに応じてオンデューティを設定したＰＷＭ信号形式の調光信号に応じてランプ点灯装置の点灯制御信号を発生してランプ点灯装置を制御することによりランプを調光信号に応じた調光レベルで点灯する点灯制御信号発生手段と；調光信号のオンデューティが１００％になったことを、調光信号を整流・平滑化した直流電圧レベルにより判定する直流レベル判定機能を備えているとともに、調光信号のオンデューティが１００％の場合に点灯制御信号発生手段が点灯レベルの下限値以上の調光レベルに対応する点灯制御信号を発生するように点灯制御信号発生手段を制御する保護手段と；を具備していることを特徴としている。
信号発生手段を制御する保護手段と；を具備していることを特徴としている。
【００３６】
本発明および以下の各発明において、特に指定しない限り用語の定義および技術的意味は次による。
【００３７】
「ランプ」とは、放電ランプ、白熱電球、発光ダイオードなど電気エネルギーにより付勢される発光体を意味する。放電ランプとしては、蛍光ランプ、ＨＩＤランプ、グローランプなどであることを許容する。白熱ランプとしては、一般照明用電球、ハロゲン電球、クリプトン電球など各種電球であることを許容する。
【００３８】
「点灯レベルの下限値」とは、点灯レベルの最小値として予め設定した値をいう。点灯レベルの下限値を設定する一の方法として、ランプ点灯装置の性能限界すなわち物理的限界から、ランプが安定な点灯をする範囲で最も点灯レベルの小さな値に設定する考え方がある。たとえば、ランプとして蛍光ランプを使用する場合、点灯回路を比較的簡単な構成のままにして蛍光ランプを安定に点灯できる最小点灯レベルとして、点灯レベル２０％を点灯レベルの下限値とすることができる。
【００３９】
しかし、点灯レベルの下限値を設定する他の考え方として、使用の立場から、上記のような物理的理由とは別に調光の必要範囲の中で最小の点灯レベルを点灯レベルの下限値とする方法もある。
【００４０】
本発明においては、点灯レベルの下限値がいかなる数値に設定されるにしても、点灯レベルの下限値に相当するＰＷＭ信号形式のオンデューティを１００％未満の所定値たとえば８０％に設定するものである。これにより、残余の２０％のオフ期間を他の制御信号を重畳するのに利用することが可能になる。しかも、調光操作部における調光信号形成手段が短絡モードで故障した際に、本発明による保護を行うことができる。
【００４１】
ランプ点灯装置は、ランプを調光する機能を備え、ランプを調光信号に応じた調光レベルで点灯するように点灯制御信号によって制御されるように構成する。調光の態様としては、既知の種々の方法を用いることができる。たとえば、安定器として作用する限流インピーダンスを加減するか、点灯回路に印加される電圧を加減することにより、ランプを調光することができる。
【００４２】
点灯制御信号発生手段は、ランプ点灯装置を調光制御するための点灯制御信号を発生してランプ点灯装置に供給する。
【００４３】
保護手段は、調光信号のオンデューティが１００％すなわち短絡モードの故障の際に、これを検出して点灯レベルの下限値以上の調光レベルに対応する点灯制御信号を点灯制御信号発生手段が発生するようにこれを制御する。点灯レベルの下限値以上のレベルとは、点灯レベルの下限値またはそれ以上の任意の点灯レベルであればよい。したがって、要すれば短絡モードの故障の際に調光レベルを０％すなわち点灯レベル１００％にして異常発生を視覚に訴えて注意喚起するようにすることもできる。
【００４４】
また、本発明は、調光信号を整流し、平滑化して得た直流電圧の直流レベルを判定することにより、調光信号の短絡モードの故障を判定するものである。
【００４５】
そうして、本発明においては、調光信号が短絡モードの故障の際にもランプが点灯レベルの下限値以上のレベルで点灯するから、照明の安全を図ることができる。特に道路やトンネル内の照明においては、調光信号形成の際の故障で照明が停止すると、甚だ危険である。また、比較的簡単な構成で調光信号の短絡モードの故障を判定することができる。本発明は、伝送媒体たとえば配線の長さが比較的短くて、誤差を生じにくい場合に適している。
【００４６】
請求項２の発明のランプ調光点灯装置は、ランプを調光可能に点灯するランプ点灯装置と；調光信号を整流・平滑化して調光信号に応じた直流電圧を形成する直流電圧変換手段、および直流電圧変換手段が出力する直流電圧に応じて周波数の異なる点灯制御信号を発生する電圧応動形可変周波数発振手段を備え、調光による点灯レベルの下限値がオンデューティ１００％未満の所定値であるとともに調光レベルに応じてオンデューティを設定したＰＷＭ信号形式の調光信号に応じてランプ点灯装置の点灯制御信号を発生してランプ点灯装置を制御することによりランプを調光信号に応じた調光レベルで点灯する点灯制御信号発生手段と；調光信号のオンデューティが１００％のときに直流電圧変換手段の直流電圧を点灯レベルの下限値のときの電圧以下に低減して電圧応動形可変周波数発振手段に印加する電圧低減化手段を備え、調光信号のオンデューティが１００％の場合に点灯制御信号発生手段が点灯レベルの下限値以上の調光レベルに対応する点灯制御信号を発生するように点灯制御信号発生手段を制御する保護手段と；を具備していることを特徴としている。
【００４７】
調光信号は、オンデューティが大きくなると調光レベルが大きくなる関係にあるから、調光レベルが大きくなると、直流電圧変換手段の出力の直流電圧が高くなる。調光信号が短絡モードによる故障の際には、調光信号のオンデューティは１００％になるから、これを整流・平滑化して得た直流電圧は、正常時の調光レベル１００％のときの直流電圧よりもさらに高い値を示す。この高い直流電圧をそのまま電圧応動形可変周波数発振手段に印加すると、既述のように調光レベル１００％よりさらに深く調光しようとするから、ランプが消灯ないし不安定な点灯になってしまう。
【００４８】
本発明においては、調光信号のオンデューティが１００％のときには、これを検出して、電圧応動形周波数可変発振手段に印加する直流電圧を低減する直流電圧低減化手段を備えているものである。
【００４９】
請求項３の発明のランプ調光点灯装置は、請求項１または２記載のランプ調光点灯装置において、ランプ点灯装置は、高周波発生手段を備え、周波数に応じてランプを調光点灯するように構成されており；点灯制御信号発生手段は、調光信号に応じて周波数の異なる点灯制御信号を発生するように構成されている；ことを特徴としている。
【００５０】
ランプ点灯装置が高周波発生手段を備えてランプを高周波点灯する場合に、簡単な構成で円滑な調光を行える構成を提供するものである。ランプと直列にインピーダンスを挿入しておけば、周波数を変更することにより、インピーダンスが周波数に応じて変化するので、ランプによって消費される電力を調節することができる。すなわち、調光を行うことができる。
【００５１】
また、ランプが放電ランプである場合には、放電の安定のためにランプと直列に限流インピーダンスを接続する必要があるので、このインピーダンスを利用することができる。
【００５２】
インピーダンスが誘導性である場合、調光により点灯レベルを低下させるには、周波数を高くしていけばよい。そうすれば、周波数の増加に伴ってインピーダンスが増加して、ランプ電流が低減し、その結果、ランプ電力が減少して調光が行われる。反対に、インピーダンスが容量性である場合、調光するためには周波数を低くしていけばよい。
【００５３】
請求項４の発明のランプ調光点灯装置は、請求項２記載のランプ調光点灯装置において、保護手段は、調光信号のオンデューティが１００％になったことを周波数の変化として判定する周波数判定機能を備えていることを特徴としている。
【００５４】
調光信号が正常であるときには、オンとオフとが一定の周波数で交互に連続している。調光信号が短絡モードの故障のときには、オンデューティが連続するから、調光信号に上記周波数は存在しなくなる。
【００５５】
本発明は、上記周波数の変化を判定することにより、故障の有無を判定するものである。しかし、具体的な回路は、種々構成できるので、本発明はこれを問わない。
【００５６】
そうして、本発明においては、調光信号の周波数の変化を判定するので、伝送媒体たとえば配線の長さに関係なくなり、したがって判定を精度よく行うことができる。
【００５７】
請求項５の発明のランプ調光方式は、点灯レベルの下限値がオンデューティ１００％未満の所定値であるとともに調光レベルに応じてオンデューティを設定したＰＷＭ信号形式の調光信号を形成する調光操作部と；調光信号を伝送する伝送媒体と；伝送媒体を介して伝送された調光信号を受信するように配設された請求項１ないし４のいずれか一記載のランプ調光点灯装置と；を具備していることを特徴としている。
【００５８】
調光操作部は、調光信号を形成して伝送媒体に送出する。道路やトンネル内照明に本発明を適用する場合を例として説明すると、調光操作部は当該道路やトンネルから遠隔した道路管理センターなどに設置される。
【００５９】
調光信号は、調光レベル１００％に対応するオンデューティが１００％未満たとえば８０％に設定されるから、残余の２０％のオフデューティの期間を利用して、照明器具の点滅、トンネル用換気扇のオン・オフなど調光以外の制御信号を重畳することができる。
【００６０】
伝送媒体は、既知の各種伝送媒体を用いることができる。たとえば、２心信号線、電波、超音波、赤外線などを採用できる。
【００６１】
ランプ調光点灯装置は、照明器具に内蔵させることができる。しかし、要すれば、ランプ以外の構成要素を照明器具とは別置きにしてもよい。
【００６２】
本発明の調光方式は、空間的に分散して遠隔した位置関係にある場合に効果的であるが、このような位置関係に限定されるものではない。たとえば、単一の照明器具に本発明の構成すなわち調光操作部、伝送媒体およびランプ調光点灯装置を組み込むこともできる。このような照明器具は家庭用の照明器具として適応するものである。
【００６３】
請求項６の発明の照明器具は、照明器具本体と；照明器具本体に装着されたランプと；照明器具本体に配設されてランプを付勢する請求項１ないし４のいずれか一記載のランプ調光点灯装置と；を具備していることを特徴としている。
【００６４】
本発明は、ランプ調光点灯装置を照明器具本体に配設したものである。
【００６５】
「照明器具本体」とは、照明器具からランプおよびランプ調光点灯装置を除いた残余の部分を意味する。したがって、ランプを装着するソケット、ソケットを所定の位置に支持する基体、電源を導入するための端子台、ランプの発光を所望の配光にするためのグローブや反射板などの制光部材などで照明器具本体が構成されている。しかし、照明器具によっては、その性質上上記各構成部品の一部が用いられないことがある。
【００６６】
【発明の実施の形態】
以下、本発明の実施の形態を図面を参照して説明する。
【００６７】
図１は、本発明のランプ調光点灯装置およびランプ調光方式の第１の実施形態を示す回路ブロック図である。
【００６８】
図において、１は交流電源、２はランプ調光点灯装置、３はランプ、４は調光操作部、５は伝送媒体である。
【００６９】
交流電源１は、商用交流電源などである。
【００７０】
ランプ調光点灯装置２は、ランプ点灯装置２Ａ、点灯制御信号発生手段２Ｂおよび保護手段２Ｃからなる。
【００７１】
ランプ点灯装置２Ａは、ランプ３を調光する機能を備えている。また、その調光は、点灯制御信号発生手段２Ｂから受ける点灯制御信号に応じて行われる。
【００７２】
点灯制御信号発生手段２Ｂは、直流電圧変換手段２B1および電圧応動形周波数可変発振手段２B2からなる。
【００７３】
直流電圧変換手段２Ｂ１は、調光信号を受信して整流・平滑化して調光信号に応じた直流電圧を得る。
【００７４】
電圧応動形可変周波数発振手段２Ｂ２は、制御入力される直流電圧に応じて発振周波数が変化した点灯制御信号を発生するように構成されている。そして、電圧応動形可変周波数発振手段２B2から発生した点灯制御信号は、ランプ点灯装置２Ａに制御入力として供給される。
【００７５】
保護手段２Ｃは、調光信号のオンデューティが１００％であることを判定するとともに、それを判定した場合に電圧応動形可変周波数発振手段２Ｂ２に制御入力される直流電圧を点灯レベルの下限値に対応する直流電圧以下に低減させる機能を備えている。
【００７６】
ランプ３は、任意のランプである。
【００７７】
調光操作部４は、調光による点灯レベルの下限値がオンデューティ８０％であるとともに、所望の調光レベルに応じてオンデューティを８０％以内で比例的に設定したＰＷＭ信号形式の調光信号を形成して、これを伝送媒体５に送出する。
【００７８】
伝送媒体５は、２心の信号線からなる。
【００７９】
そうして、調光操作部４において所望の調光レベルを指示すると、対応するオンデューティを有する調光信号が形成され、調光操作部４から伝送媒体５に送出される。
【００８０】
伝送媒体５を通じて伝送された調光信号は、ランプ調光点灯装置２の点灯制御信号発生手段２Ｂの直流電圧変換手段２Ｂ１で受信され、調光信号に応じた直流電圧に変換される。
【００８１】
直流電圧は電圧応動形可変周波数発振手段２Ｂ２に制御入力されるので、当該発振手段２B2は相当する周波数の点灯制御信号を発生する。
【００８２】
発生した点灯制御信号は、ランプ点灯装置２Ａに制御入力されるので、ランプ点灯装置２Ａは点灯制御信号に応じてランプを調光する。
【００８３】
ところで、調光操作部４において、調光信号形成回路のスイッチング素子が短絡すると、伝送媒体５に送出される調光信号はオンデューティ１００％になってしまう。
【００８４】
ランプ調光点灯装置２において受信した調光信号のオンデューティが１００％であると、保護手段２Ｃがこれを検出する。さらに、保護手段２Ｃは、直流電圧変換手段２Ｂ１から電圧応動形周波数可変発振手段２Ｂ２に制御入力される直流電圧を予め設定された値たとえば点灯レベル２０％のときの調光信号から得られる直流電圧と同じ値まで直流電圧を低減して電圧応動形可変周波数発振手段２Ｂ２に制御入力させる。
【００８５】
したがって、点灯制御信号発生手段２Ｂからランプ点灯装置２Ａに制御入力される点灯制御信号は点灯レベルが２０％になる周波数であり、実際そのように点灯制御される。
【００８６】
図２は、図１における調光レベル、調光信号、直流電圧および点灯レベルの関係を説明する波形図である。
【００８７】
図は、従来における同様の図である図７と対比して明かなように、調光信号が短絡モードによる故障のときの対応が異なる以外は同様であるので、相違点を中心に説明し、その他の部分については図７における説明を援用する。
【００８８】
すなわち、調光操作部の故障の際には調光信号は１００％オンデューティになるが、電圧応動形可変周波数発振手段２B2の制御入力として印加される直流電圧は、調光レベル１００％のときと同じ値に保護手段２Ｃにより制御される結果、２０％の点灯レベルを維持する。なお、直流電圧の点線は、直流電圧変換手段２Ｂ１の出力電圧である。
【００８９】
図３は、本発明のランプ調光点灯装置の第２の実施形態を示す回路図である。
【００９０】
図１と同一部分については同一符号を付して説明は省略する。
【００９１】
本実施形態は、調光信号のオンデューティ１００％になったことを周波数の変化として判定する点で異なる。
【００９２】
ランプ点灯装置２は、整流・平滑化回路２Ａ１、ハーフブリッジ形インバータ２Ａ２および点灯回路２Ａ３からなる。
【００９３】
整流・平滑化回路２Ａ１は、雑音防止回路２Ａ１１および全波整流回路２Ａ１２および平滑コンデンサ２Ａ１３からなる。
【００９４】
雑音防止回路２Ａ１１は、交流電源１および全波整流回路２Ａ１２の間に直列に接続されたインダクタ２Ａ１１１および交流電源１間に接続されたコンデンサ２Ａ１１２からなる。
【００９５】
ハーフブリッジ形インバータ２Ａ２は、整流・平滑化回路２Ａ１間に直列接続された一対のスイッチング素子２Ａ２１、２Ａ２２および各スイッチング素子２Ａ２１、２Ａ２２のゲートにゲート信号を供給するゲート信号発生回路２Ａ２３を含んでいる。
【００９６】
ゲート信号発生回路２Ａ２３は、点灯制御信号の周波数と同じ周波数のゲート信号を発生する。
【００９７】
点灯回路２Ａ３は、インダクタＬおよび直流カットコンデンサＣからなり、ハーフブリッジ形インバータ２Ａ３の出力端間においてランプ３と直列回路を構成する。
【００９８】
ランプ３は、蛍光ランプからなり、その非電源側端子間には始動用コンデンサＣＳを接続している。
【００９９】
直流電圧変換回路２Ｂ１は、調光信号の整流回路２Ｂ１１、フォトカプラ２Ｂ１２、分圧器２Ｂ１３、平滑化回路２Ｂ１４および差動増幅器２Ｂ１５からなる。
【０１００】
分圧器２Ｂ１３は、フォトカプラ２Ｂ１２の出力電圧を適当な比率で分圧する。
【０１０１】
平滑化回路２Ｂ１４は、分圧器２Ｂ１３の出力電圧を平滑化して、差動増幅器２Ｂ１５の入力端に直流電圧を供給する。
【０１０２】
差動増幅器２Ｂ１５は、オペアンプを主体として構成され、その出力電圧を電圧応動形可変周波数発振手段２Ｂ２の制御入力端子に接続する。
【０１０３】
一方、保護手段２Ｃは、反転回路２Ｃ１、ＮＯＲ回路２Ｃ２、分周器２Ｃ３、ＮＯＴ回路２Ｃ４およびスイッチング回路２Ｃ５からなる。
【０１０４】
反転回路２Ｃ１は、オペアンプおよび基準電位を主体として構成され、フォトカプラ２Ｂ１２の出力電圧を反転して、ＮＯＲ回路２Ｃ２の一方の入力端に供給する。
【０１０５】
ＮＯＲ回路２Ｃ２は、その出力を分周器２Ｃ３の第１のフリップフロップＦＦ１にリセット信号として供給する。また、ＮＯＲ回路２Ｃ２の他方の入力端にはリセット電圧源を接続する。
【０１０６】
分周器２Ｃ３は、一対のフリップフロップＦＦ１、ＦＦ２およびクロック発振器Ｋからなる。クロック発振器Ｋは、ＦＦ１、ＦＦ２のクロック入力端子に調光信号の周波数より低い周波数のクロック信号を供給する。ＦＦ１のデータ入力端子Ｄにフォトカプラ２Ｂ１２の出力電圧を供給する。そして、ＦＦ１の出力端子ＱをＦＦ２のデータ入力端子Ｄに接続する。ＦＦ２の出力端子Ｑをスイッチング回路２Ｃ５のエミッタに接続する。ＦＦ２のリセット端子にＮＯＴ回路２Ｃ４を介してリセット電圧源を接続する。
【０１０７】
スイッチング回路２Ｃ５は、直流電圧変換回路２Ｂ１の分圧器２Ｂ１３の出力抵抗の一部を短絡するように接続されている。
【０１０８】
そうして、調光信号がオフデューティを有している正常な状態においては、反転回路２Ｃ１の出力の周波数の方がクロック発振器Ｋの発振周波数より高いので、分周器２Ｃ３がデータを転送する前に毎サイクルごとにＦＦ１、ＦＦ２はリセットされてしまう。そのために、フォトカプラ２Ｂ１２の出力電圧はＦＦ１のデータ入力端子Ｄから出力端子Ｑを経てＦＦ２に転送できないので、スイッチング回路２Ｃ５はオフしている。
【０１０９】
ところが、調光信号が短絡モードの故障により、オンデューティ１００％になると、反転回路２Ｃ１の出力が常時生じているため、ＦＦ１はリセットされなくなる。このため、分周器２Ｃ３はデータを転送してスイッチング回路２Ｃ５がオンする。スイッチング回路２Ｃ５がオンすると、分圧器２Ｂ１３の出力抵抗の一部を短絡するので、直流電圧はオンデューティ１００％の整流平滑化された直流電圧より低くなる。本実施形態においては、調光レベル１００％換言すれば点灯レベル２０％の場合の直流電圧と同程度に設定している。
【０１１０】
なお、４は始動シーケンス回路、５はランプ寿命末期検出回路、Ｄは回り込み防止用のダイオードである。
【０１１１】
図４は、本発明のランプ調光装置の第３の実施形態を示す回路図である。
【０１１２】
図において、図３と同一部分については同一符号を付して説明は省略する。
【０１１３】
本実施形態は、調光信号のオンデューティが１００％になったことを調光信号を整流・平滑化して、その直流電圧レベルにより判定する点で構成が異なる。
【０１１４】
すなわち、保護手段２Ｃ’は、分圧器２Ｃ６、差動増幅器２Ｃ７およびスイッチング回路２Ｃ８からなる。
【０１１５】
分圧器２Ｃ６は、フォトカプラ２Ｂ１２の出力電圧を分圧するように接続されている。
【０１１６】
差動増幅器２Ｃ７は、分圧器２Ｃ６の分圧出力を入力して基準電圧より高い場合（オンデューティ１００％のとき）に出力を生じる。
【０１１７】
スイッチング回路２Ｃ８は、差動増幅器２Ｃ７に出力があるときにオンして、直流電圧変換手段２Ｂ１の分圧器２Ｂ１３の分圧比を小さくする。
【０１１８】
そうして、調光信号が正常のときには、差動増幅器２Ｃ７に出力がなく、スイッチング回路２Ｃ８はオフしているが、調光信号が短絡モードの故障になってオンデューティ１００％になると、差動増幅器２Ｃ７に出力を生じ、スイッチング回路２Ｃ８はオンするので、直流電圧変換手段２Ｂ１の分圧器２Ｂ１３の分圧比が小さくなる。
【０１１９】
【０１２０】
図５は、本発明の照明器具の一実施形態におけるトンネル用非常駐車帯照明器具を示す斜視図である。
【０１２１】
図において、１１は照明器具本体、１２は蛍光ランプである。
【０１２２】
照明器具本体１１は、下面が開口した浅い箱状の基体１１ａ、基体１１ａの下面開口を閉塞する下面カバー１１ｂ、基体１１ａの一端部に配設されたソケット１１ｃ、同じく他端部に配設されたランプホルダ１１ｄ、図示しないが蛍光ランプ１２に対して光学的に配設された反射板、ならびに図３に示すランプ調光装置すなわちランプ点灯装置、点灯制御信号発生手段および保護手段を備えている。
【０１２３】
下面カバー１１ｂは、カバー枠１１ｂ１、カバー枠１１ｂ１に装着されたガラス板１１ｂ２からなり、ヒンジ１１ｅおよびラッチ１１ｆによって基体１１ａに対して開閉自在に取付られている。
【０１２４】
照明器具本体１１は、取付腕１１ｇによって所定の場所に取り付けられる。
【０１２５】
【発明の効果】
請求項１ないし４の各発明によれば、調光レベルに応じてオンデューティが設定されるが、オンデューティが１００％未満の所定値を点灯レベルの下限値とするとともに、調光信号のオンデューティが１００％の場合に、点灯制御信号発生手段が点灯レベルの下限値以上の調光レベルに対応する点灯制御信号を発生するように制御する保護手段を備えたことにより、調光操作部が短絡モードの故障時においても点灯制御信号により制御されるランプ点灯装置によってランプを安定に点灯継続するので、安全を図るランプ調光点灯装置を提供することができる。
【０１２６】
請求項１の発明によれば、加えて調光信号のオンデューティが１００％になったことを直流電圧レベルにより判定することにより、簡単な構成で判定するランプ調光点灯装置を提供することができる。
【０１２７】
請求項２の発明によれば、加えて保護手段に直流電圧低減化手段を備えて電圧応動形可変周波数発振手段に制御入力する直流電圧を調光信号から得た直流電圧より低減することにより、調光操作部における短絡モードの故障時に確実にランプを継続して安定に点灯するランプ調光点灯装置を提供することができる。
【０１２８】
請求項３の発明によれば、加えてランプ点灯装置が高周波発生手段を備えていて、周波数に応じてランプを調光する構成であって、調光信号に応じて周波数の異なる点灯制御信号を発生することにより、構成が簡単で円滑な調光を行うランプ調光点灯装置を提供することができる。
【０１２９】
請求項４の発明によれば、加えて調光信号のオンデューティが１００％になったことを周波数の変化として判定することにより、判定を精度よく行うランプ調光点灯装置を提供することができる。
【０１３０】
請求項５の発明によれば、請求項１ないし４の効果を有するランプ調光方式を提供することができる。
【０１３１】
請求項６の発明によれば、請求項１ないし４の効果を有する照明器具を提供することができる。
【図面の簡単な説明】
【図１】  本発明のランプ調光点灯装置およびランプ調光方式の第１の実施形態を示す回路ブロック図
【図２】  図１における調光レベル、調光信号、直流電圧および点灯レベルの関係を説明する波形図
【図３】  本発明のランプ調光点灯装置の第２の実施形態を示す回路図
【図４】  本発明のランプ調光点灯装置の第３の実施形態を示す回路図
【図５】  本発明の照明器具の一実施形態におけるトンネル用非常駐車帯照明器具を示す斜視図
【図６】  従来のランプ調光点灯装置およびランプ調光方式を示す回路ブロック図
【図７】  図６に示すランプ調光点灯装置の回路図
【図８】  従来のランプ調光点灯装置における調光レベル、調光信号、直流電圧および点灯レベルの関係を説明する波形図
【符号の説明】
１…交流電源
２…ランプ調光点灯装置
２Ａ…ランプ点灯装置
２Ｂ…点灯制御信号発生手段
２Ｂ１…直流電圧変換手段
２Ｂ２…電圧応動形可変周波数発振手段
２Ｃ…保護手段
３…ランプ
４…調光操作部
５…伝送媒体
【図１】
0004048585.tif 000002
【図２】
0004048585.tif 000003
【図３】
0004048585.tif 000004
【図４】
0004048585.tif 000005
【図５】
0004048585.tif 000006
【図６】
0004048585.tif 000007
【図７】
0004048585.tif 000008
【図８】
0004048585.tif 000009